(57)【要約】【課題】閃光発光用コンデンサと電気回路基板及びこれに実装される電気部品等の構成部材の配置を工夫してカメラの内部空間を効率的に利用してカメラの小型化を容易に実現し得るカメラを提供する。【解決手段】閃光発光用の電荷を蓄えるために設けられ互いに同一方向に並列させかつ互いの外径部が略当接するように近接して配設される二つの閃光発光用コンデンサ２１（２１ａ・２１ｂ）と、複数の電気部品が実装された電気回路基板（２３・２４）とを具備し、電気回路基板上に実装された複数の電気部品のうちの一部は、二つの閃光発光用コンデンサが当接する当接点を一つの頂点とし二つの閃光発光用コンデンサのそれぞれの外径部を結ぶ接線を底辺とする略三角形状の断面からなる空間２１ｃに配置され、さらに電気回路基板の少なくとも一部が、二つの閃光発光用コンデンサの外径部に固着して構成する。【選択図】　　図４
2004021031.tif 000002
【特許請求の範囲】
【請求項１】
閃光発光用の電荷を蓄えるために設けられ、互いに同一方向に並列させかつ互いの外径部が略当接するように近接して配設される二つの閃光発光用コンデンサと、
複数の電気部品が実装された電気回路基板と、
を具備し、
上記電気回路基板上に実装された複数の電気部品のうちの一部は、上記二つの閃光発光用コンデンサが当接する当接点を一つの頂点とし上記二つの閃光発光用コンデンサのそれぞれの外径部を結ぶ接線を底辺とする略三角形状の断面からなる空間に配置され、さらに上記電気回路基板の少なくとも一部が、上記二つの閃光発光用コンデンサの外径部に固着されていることを特徴とするカメラ。
【請求項２】
互いに同一方向に並列させかつ当接するように近接させて配置され、閃光発光用の電荷を蓄える二つの閃光発光用コンデンサと、
第１電気回路基板及び第２電気回路基板との二つの電気回路基板と、
上記二つの閃光発光用コンデンサが互いに当接する当接点を一つの頂点とし上記二つの閃光発光用コンデンサのそれぞれの外径部を結ぶ接線を底辺とする略三角形状の断面からなる空間に配設され、上記第１電気回路基板と上記第２電気回路基板とを接続するための接続手段と、
を具備したことを特徴とするカメラ。
【請求項３】
上記接続手段は、上記第１電気回路基板及び上記第２電気回路基板のそれぞれの接続部位を重ねて配置することで両電気回路基板をそれぞれ位置決めする接続用台座を有し、この接続用台座は、上記閃光発光用コンデンサの外周部に固着されていることを特徴とする請求項２に記載のカメラ。
【発明の詳細な説明】
【０００１】
【発明の属する技術分野】
この発明は、カメラ、詳しくは閃光発光装置を備えたカメラに関し、特に閃光発光用コンデンサと電気回路基板及びこれに実装される電気部品の配置の工夫に関するものである。
【０００２】
【従来の技術】
従来より、小型カメラ等においては、例えば周辺環境が暗い場合等でも写真撮影を行ない得るようにするための補助光を発光させる閃光発光装置等を備えてなるいわゆる閃光発光装置内蔵式のカメラが、一般的に実用化されている。
【０００３】
このようなカメラにおいては、その閃光発光装置を用いて閃光を発光させるために、閃光発光用の電荷を蓄えるためのコンデンサもカメラ本体の内部に配設する必要がある。
【０００４】
一方、従来の小型カメラ等においては、携帯性等の利便性を考慮して、その小型化への要求が常にある。したがって、カメラの内部空間においては、各種の構成部材を効率良く配置する必要がある。
【０００５】
したがって、小型化を実現した従来のカメラにおいては、閃光発光用のコンデンサの径や長さ寸法とカメラの内部空間との関係から、閃光を発光させるために必要な電荷の容量を単一のコンデンサによって確保することができない場合もある。したがって、このような場合には、複数のコンデンサを用いることによって、狭い内部空間であっても閃光発光に必要な電荷容量を確保するといった手段を採ることが一般である。
【０００６】
例えば、特許第３２１８７６８号公報によって開示されているカメラは、閃光発光用の二本のコンデンサをカメラの内部空間において所定の間隔で並設して、閃光を発光するのに必要な電荷容量を確保している。そして、この二本のコンデンサの間に形成される空間に、複数の電気部品を実装した硬質の電気回路基板を設けて構成することで、内部空間の有効利用を行なうようにするというものである。そして、この場合において、当該電気回路基板は、カメラの上面側に配置される別の電気回路基板に対して係合させることで固定するようにしている。
【０００７】
【発明が解決しようとする課題】
ところが、特許第３２１８７６８号公報によって開示されている手段では、閃光発光用の二本のコンデンサの間の空間に配設される電気回路基板の固定手段が確実でなく、例えばカメラに対して強い衝撃等が加わった場合には、複数の電気回路基板同士の接続が外れてしまう等の事故が発生する虞がある。
【０００８】
そこで、このことを考慮して、当該電気回路基板をカメラ本体等の所定の固定部に対してビス等の固定手段を用いて固設する構成等が考えられる。
【０００９】
しかし、このような構成とした場合には、複数の電気回路基板やカメラ本体の一方又は双方に固定部を設ける必要が生じる。したがって、電気回路基板上に実装し得る電気部品に所定の制限が生じてしまうこともある。
【００１０】
一方、閃光発光用のコンデンサは、一般的に円柱形状によって構成されるのが普通である。そこで、例えば円柱形状からなる二本のコンデンサを互いに当接するように並設した場合には、二つのコンデンサが当接する当接点を一つの頂点とし、二つの閃光発光用コンデンサのそれぞれの外径部を結ぶ接線を底辺とする略三角形状の断面からなる空間が形成されることになる。この場合において、このような空間がいわゆるデッドスペースとなってしまう可能性が高くなる傾向がある。したがって、カメラの内部空間における部材配置については、さらなる工夫を施す余地が存在するものであると言える。
【００１１】
本発明は、上述した点に鑑みてなされたものであって、その目的とするところは、カメラの内部空間における各種の構成部材、特に閃光発光用コンデンサと電気回路基板及びこれに実装される電気部品等の構成部材の配置を工夫することによって、カメラの内部空間を効率的に利用して無駄な空間を省き、カメラの小型化を容易に実現することのできるカメラを提供することである。
【００１２】
【課題を解決するための手段】
上記目的を達成するために、第１の発明によるカメラは、閃光発光用の電荷を蓄えるために設けられ、互いに同一方向に並列させかつ互いの外径部が略当接するように近接して配設される二つの閃光発光用コンデンサと、複数の電気部品が実装された電気回路基板とを具備し、上記電気回路基板上に実装された複数の電気部品のうちの一部は、上記二つの閃光発光用コンデンサが当接する当接点を一つの頂点とし上記二つの閃光発光用コンデンサのそれぞれの外径部を結ぶ接線を底辺とする略三角形状の断面からなる空間に配置され、さらに上記電気回路基板の少なくとも一部が、上記二つの閃光発光用コンデンサの外径部に固着されていることを特徴とする。
【００１３】
また、第２の発明によるカメラは、互いに同一方向に並列させかつ当接するように近接させて配置され、閃光発光用の電荷を蓄える二つの閃光発光用コンデンサと、第１電気回路基板及び第２電気回路基板との二つの電気回路基板と、上記二つの閃光発光用コンデンサが互いに当接する当接点を一つの頂点とし上記二つの閃光発光用コンデンサのそれぞれの外径部を結ぶ接線を底辺とする略三角形状の断面からなる空間に配設され、上記第１電気回路基板と上記第２電気回路基板とを接続するための接続手段とを具備したことを特徴とする。
【００１４】
そして、第３の発明は、上記第２の発明によるカメラにおいて、上記接続手段は、上記第１電気回路基板及び上記第２電気回路基板のそれぞれの接続部位を重ねて配置することで両電気回路基板をそれぞれ位置決めする接続用台座を有し、この接続用台座は、上記閃光発光用コンデンサの外周部に固着されていることを特徴とする。
【００１５】
【発明の実施の形態】
以下、図示の実施の形態によって本発明を説明する。
図１は、本発明の第１の実施形態のカメラの全体構成を概略的に示す分解斜視図である。また、図２は当該カメラの一部（カメラ本体）とこれに取り付けられる回路基板等の部材を取り出して示す分解斜視図である。そして、図３は、図２の構成部材を組み立てた状態の斜視図である。さらに、図４は、図３のＡ−Ａ線に沿う要部拡大横断面図である。
【００１６】
本実施形態のカメラは、図１に示すように、本カメラの基本部分となるカメラ本体１１と、このカメラ本体１１に取り付けられ撮影レンズ１２ａ及びこれを保持する撮影レンズ鏡筒等からなる撮影レンズユニット１２と、カメラ本体１１に取り付けられファインダ光学系等からなるファインダユニット１３と、カメラ本体１１の前面側を覆う外装部材である前カバー部材１４と、カメラ本体１１の側面と上面及び底面を覆う外装部材である後カバー部材１５と、カメラ本体１１の背面側を覆う位置と露出する位置との間で開閉自在に配設される後蓋部材１６等の基本構成部材等によって構成されている。
【００１７】
後蓋部材１６は、その一側縁部に設けられるヒンジ部１６ｂと後カバー部材１５の一側縁部に設けられるヒンジ部１５ｂとが軸部材１５ｃによって連結されることによって、図１の矢印Ｘ方向に回動自在となるように軸支されている。
【００１８】
そして、後蓋部材１６が閉状態とされたときには、当該後蓋部材１６の他側縁部に形成される係合爪１６ａが後カバー部材１５側の所定の位置に形成される被係合部（図示せず）に係合することで、後蓋部材１６の閉状態が保持されるようになっている。これと共に、後蓋部材１６と後カバー部材１５とには、後蓋部材１６の閉状態を解除するための係合解除機構（図示せず）が設けられているのは、従来の一般的なカメラの構成と同様である。
【００１９】
後蓋部材１６の一端部には、図４にも示されるように本カメラの主電源となる電池５２を着脱自在に収納する電池室１６ｃが形成されている。これに伴って、後蓋部材１６の一側縁部には、当該電池室１６ｃを開閉自在とするための電池室蓋１６ｄが、後蓋部材１６に対して回動自在に配設されている（詳細は図４参照）。
【００２０】
後カバー部材１５の上面側には、例えば撮影動作の指示信号を生じさせるためのシャッターリリースボタン１７や変倍動作の指示信号を生じさせるためのズームレバー１８等等、各種の操作部材が配設されている（図においては表記の操作部材のみを図示しその他の操作部材については図示を省略している）。
【００２１】
また、後カバー部材１５の内部における一端側には、後述する閃光発光用コンデンサ２１のうち主コンデンサ２１ａを受け得るようにその外形形状に合わせて断面を略円弧形状に形成したコンデンサ受け部１５ｄが形成されている（図１・図４参照）。
【００２２】
また、カメラ本体１１の略中央部近傍には、撮影レンズユニット１２が配設されるようになっている。この撮影レンズユニット１２を挟むようにして、カメラ本体１１の両端部には、パトローネ室１１ｃ（図１では図示せず。図４参照）とフイルム収納室１１ｅとがそれぞれ形成されている。
【００２３】
パトローネ室１１ｃは、写真撮影用のロール状フイルム（以下、単にフイルムという）５１ａを内部に巻回した形態で収納したフイルムパトローネ５１（図４参照）を着脱自在に装填し得るように形成される内部空間である。
【００２４】
カメラ本体１１において、パトローネ室１１ｃが形成されている部位の前面側の外壁部には、ＤＸコード接点１１ｆが設けられている。このＤＸコード接点１１ｆは、パトローネ室１１ｃの内部において、これに装填されるフイルムパトローネ５１のＤＸコードに接触すべき部位に設けられる接点部（図示せず）に接続されている。
【００２５】
また、フイルム収納室１１ｅは、当該カメラの所定の撮影動作に伴ってパトローネ室１１ｃに装填されているフイルムパトローネ５１から引き出されたフイルム５１ａを収納する内部空間である。このフイルム収納室１１ｅの内部には、フイルム５１ａを巻回させるスプール１１ｄが回動自在に配設されている。
【００２６】
そして、撮影レンズユニット１２は、カメラ本体１１に対してその前面側からねじ１２ｂによって固定されるようになっている。また、この撮影レンズユニット１２の上部側には、ファインダユニット１３が配設されるようになっている。この場合においてファインダユニット１３は、カメラ本体１１の固定部に対して、ねじ１３ｂによって固定されるようになっている。
【００２７】
カメラ本体１１の一側縁部には、主コンデンサ２１ａ及び副コンデンサ２１ｂの二本からなる閃光発光用コンデンサ２１が設けられている。この閃光発光用コンデンサ２１は、閃光発光用の電荷を蓄えるために設けられるものであって、そのサイズを小型化しながら閃光発光に必要な電荷容量を確保するために、二本に分けて設けられている。
【００２８】
主副コンデンサ２１ａ・２１ｂは、互いの外径部が略当接するように近接して並設されている。これに伴って、カメラ本体１１のがわの所定の位置であって、主副コンデンサ２１ａ・２１ｂが配設されるべき部位の壁面１１ａ・１１ｂ（図１では図示せず。図２・図４参照）は、当該主副コンデンサ２１ａ・２１ｂの外径部の形状に合わせて、そのそれぞれの断面が略円弧形状となるように形成されている。
【００２９】
そして、主副コンデンサ２１ａ・２１ｂは、カメラ本体１１の壁面１１ａ・１１ｂ及び後カバー部材１５のコンデンサ受け部１５ｄに対して、例えば両面テープ等によって貼着されるようになっている。
【００３０】
このように形成されたカメラ本体１１には、その外面を覆うように前カバー部材１４と後カバー部材１５とが配設されるようになっている。この場合において、前カバー部材１４と後カバー部材１５とは、背面側よりねじ１５ａによって一体となるように固定されることになる。
【００３１】
一方、カメラ本体１１の外面側には、図２に示すように複数の電気部品２３ｄ等が実装され、例えばフレキシブルプリント基板等からなる複数の電気回路基板、即ち本カメラの制御回路等を始めとした各種の電気回路を実装した主基板２３（第１電気回路基板）や、本カメラの背面側に配設される電気部品等に付随する機能を備えた副基板２４（第２電気回路基板）や、フイルムパトローネ５１のＤＸコードに接触する接点部から引き出されたＤＸコード接点１１ｆに接触することでＤＸコードを読み取るためのＤＸ基板２５等等が、それぞれ所定の位置に配設されるようになっている。
【００３２】
そして、これら複数の電気回路基板のうち所定の電気回路基板同士は、所定の接続手段によって接続されるようになっている。この接続手段は、例えば、主基板２３（第１電気回路基板）及び副基板２４（第２電気回路基板）、ＤＸ基板２５のそれぞれの接続部位２３ａ・２４ａ・２５ａ等を重ねて配置し、ねじ止め固定することで、各電気回路基板２３・２４・２５のそれぞれを各所定の位置に配置し位置決めするための接続用台座２２を有して構成されている。
【００３３】
この場合において、当該接続用台座２２は、主副コンデンサ２１ａ・２１ｂの外周面、即ち当該主副コンデンサ２１ａ・２１ｂの外壁面２１ｇ・２１ｈ（図４参照）に対して例えば両面テープ５３等によって貼着されている。
【００３４】
また、接続用台座２２の下端部２２ｄは、その断面が略Ｌ字形状に形成されており、その腕部が副コンデンサ２１ｂの底面に当接することによって、当該副コンデンサ２１ｂの垂直方向における位置決めをする役目をしている（詳細については図示せず）。なお、主コンデンサ２１ａの垂直方向における位置決めは、カメラ本体１１の所定の固定部１１ｋ（図２参照）に当該主コンデンサ２１ａの底面が当接することにより規定されるようになっている。
【００３５】
そして、接続用台座２２に固定配置される各電気回路基板（２３・２４・２５）の少なくとも一部は、図４に示すように二つの主副コンデンサ２１ａ・２１ｂのそれぞれの外径部、即ち外壁面２１ｇ・２１ｈに対して、例えば両面テープ５４等によって固定されている。
【００３６】
上述したように主副コンデンサ２１ａ・２１ｂは、互いの外径部が略当接するように近接して並設されている。このことから、これらの主副コンデンサ２１ａ・２１ｂの周縁部には、当該主副コンデンサ２１ａ・２１ｂが当接する当接点を一つの頂点とし、主副コンデンサ２１ａ・２１ｂのそれぞれの外径部を結ぶ接線を底辺とする略三角形状の断面からなる空間（以下、三角空間という）２１ｃが形成されることになる。
【００３７】
そこで、本実施形態においては、この三角空間２１ｃに接続用台座２２を配設することによって、カメラの内部空間を有効に利用するようにしているわけである。
【００３８】
この接続用台座２２に対しては、図２・図３に示すように主基板２３の接続部位２３ａと、副基板２４の接続部位２４ａと、ＤＸ基板２５の接続部位２５ａとが互いに重ねて接続されるようにビス３１ｂ・３１ｃによって固設されている。
【００３９】
この場合において、接続用台座２２には、二つのねじ孔２２ｂ・２２ｃが形成されている。このうちの一方のねじ孔２２ｂには、図２に示すようにＤＸ基板２５の接続部位２５ａと、主基板２３の接続部位２３ａの上側の部位２３ｂとがビス３１ｂによって固設されるようになっている。
【００４０】
また、接続用台座２２の他方のねじ孔２２ｃには、図２・図４に示すように副基板２４の接続部位２４ａと、主基板２３の接続部位２３ａの下側の部位２３ｃとがビス３１ｃによって固設されるようになっている。
【００４１】
そして、各ビス３１ｂ・３１ｃと各基板（２３・２４・２５）との間には、コネクトワッシャ３１ｄ及びコネクトゴム３１ｅが挟持されるようになっている。
【００４２】
このようにして、接続用台座２２によって位置決めされる主基板２３は、図３・図４に示すように、カメラ本体１１のパトローネ室１１ｃの前面側の外壁部と、カメラ本体１１の上面側を覆うように配設される。
【００４３】
また、副基板２４は、カメラ本体１１の側から側面部から背面側へかけて配設され、後蓋部材１６に設けられる所定の電気部材（図示せず）に接続されるようになっている。これにより、当該所定の電気部材は、副基板２４及び接続用台座２２を介して主基板２３との電気的接続が確保される。
【００４４】
さらに、ＤＸ基板２５は、パトローネ室１１ｃの内部接点部から引き出されたＤＸコード接点１１ｆに接続されるようになっている。これによって、主基板２３に設けられる制御回路（図示せず）は、接続用台座２２及びＤＸ基板２５・ＤＸコード接点１１ｆを介してフイルムパトローネ５１のＤＸコードを読み取ることができるようになる。
【００４５】
以上説明したように上記第１の実施形態によれば、カメラ本体１１の内部における所定の位置に並設した二本の主副コンデンサ２１ａ・２１ｂによって形成される三角空間２１ｃに、複数の電気回路基板（２３・２４・２５）を固定配置するための接続用台座２２を配設するようにしたので、カメラの内部空間を有効に利用することができる。したがって、これによりカメラの小型化に寄与することができる。
【００４６】
このように上述の第１の実施形態においては、二本の主副コンデンサ２１ａ・２１ｂが当接する当接点を一つの頂点とし、二本の主副コンデンサ２１ａ・２１ｂのそれぞれの外径部を結ぶ接線を底辺とする略三角形状の断面からなる三角空間２１ｃに接続用台座２２を配設して、これを用いて本カメラにおける複数の電気回路基板（２３・２４・２５）の接続を確保し、その位置決めを行なうように構成した。
【００４７】
しかし、当該三角空間２１ｃには、上述の第１の実施形態における接続用台座（２２）に限らず、その他の部材を配置するように構成することも容易である。
【００４８】
次に示す本発明の第２の実施形態においては、所定の電気回路基板上に実装されている複数の電気部品のうちの一部を、二本の主副コンデンサ２１ａ・２１ｂによって形成される三角空間２１ｃに配置するようにしている。
【００４９】
この第２の実施形態による手段もまた、カメラの内部空間を有効に利用し、カメラ自体の小型化を実現するための一つの例示である。
【００５０】
なお、本実施形態の構成は、上述の第１の実施形態と基本的に略同様に構成されるものであって、カメラ本体（１１）の内部の所定の位置に並設される主副コンデンサ（２１ａ・２１ｂ）により形成される三角空間（２１ｃ）に配置する部材が異なるのみである。したがって、上述の第１の実施形態と同じ構成部材については同じ符号を附してその詳細な説明は省略し異なる部分についてのみ、以下に説明する。
【００５１】
図５は、本発明の第２の実施形態のカメラの一部を示す要部拡大断面図である。この図５は、本実施形態のカメラにおいて、上述の第１の実施形態のカメラにおける図３のＡ−Ａ線に沿う断面に相当する部位近傍を示すものである。
【００５２】
図５に示すように、本実施形態においては、上述の第１の実施形態における接続用台座（２２）を除去した形態とし、所定の電気回路基板２６の一部を、例えば両面テープ５４等を用いて主副コンデンサ２１ａ・２１ｂの外周面上の外壁面２１ｇ・２１ｈに貼着するようにしている。
【００５３】
そして、この場合において、当該所定の電気回路基板２６上に実装されている複数の電気部品のうちの一部の電気部品２６ａが、三角空間２１ｃに配置されるように構成している。
その他の構成については、上述の第１の実施形態と略同様である。
【００５４】
このように構成した上記第２実施形態によれば、カメラ本体１１の内部の所定の位置に並設される主副コンデンサ２１ａ・２１ｂにより形成される三角空間２１ｃに、所定の電気回路基板２６上に実装される電気部品２６ａ等を配置することで、カメラの内部空間を有効に利用し、よって当該カメラの小型化に寄与することができるのは、上述の第１の実施形態と同様である。
【００５５】
［付記］
上記発明の実施形態により、以下のような構成の発明を得ることができる。
【００５６】
（１）　互いに同一方向に並列させかつ外径部を当接するように近接させて配置され、閃光発光用の電荷を蓄える二つの円柱形状の閃光発光用コンデンサと、
第１電気回路基板と、
第２電気回路基板と、
上記二つの閃光発光用コンデンサの間に形成される略三角形状の断面を有する空間に配設され、上記第１電気回路基板と上記第２電気回路基板とを接続するための接続用部材と、
を具備したカメラ。
【００５７】
（２）　付記（１）に記載のカメラにおいて、
上記接続用部材は、上記第１電気回路基板及び上記第２電気回路基板のそれぞれの接続部を重ねて位置決めする接続用台座である。
【００５８】
（３）　付記（２）に記載のカメラにおいて、
上記接続用台座は、上記略三角形状の断面を有する空間に略合致した三角形状となるように形成されている。
【００５９】
（４）　付記（３）に記載のカメラにおいて、
上記接続用台座は、上記二つの閃光発光用コンデンサの外周に当接させて当該コンデンサに固設されている。
【００６０】
【発明の効果】
以上述べたように本発明によれば、カメラの内部空間における各種の構成部材、特に閃光発光用コンデンサと電気回路基板及びこれに実装される電気部品等の構成部材の配置を工夫することによって、カメラの内部空間を効率的に利用して無駄な空間を省き、カメラの小型化を容易に実現し得るカメラを提供することができる。
【図面の簡単な説明】
【図１】本発明の第１の実施形態のカメラの全体構成を概略的に示す分解斜視図。
【図２】図１のカメラの一部（本体部）とこれに取り付けられる回路基板等の部材を取り出して示す分解斜視図。
【図３】図２の構成部材を組み立てた状態の斜視図。
【図４】図３のＡ−Ａ線に沿う要部拡大横断面図。
【図５】本発明の第２の実施形態のカメラにおける要部拡大断面図。
【符号の説明】
１１……カメラ本体
１２……撮影レンズユニット
１３……ファインダユニット
１４……前カバー部材
１５……後カバー部材
１６……後蓋部材
２１……閃光発光用コンデンサ
２１ａ……主コンデンサ
２１ｂ……副コンデンサ
２１ｃ……三角空間（空間）
２２……接続用台座（接続手段）
２３……主基板（電気回路基板；第１電気回路基板）
２４……副基板（電気回路基板；第２電気回路基板）
２５……ＤＸ基板（電気回路基板）
２６……電気回路基板
２３ａ・２４ａ・２５ａ……接続部位
２３ｄ・２６ａ……電気部品
【図１】
2004021031.tif 000003
【図２】
2004021031.tif 000004
【図３】
2004021031.tif 000005
【図４】
2004021031.tif 000006
【図５】
2004021031.tif 000007